(57)【要約】【課題】リピータ等の中継装置の正しい設置位置を容易に決めることを可能にすること。【解決手段】第一無線通信装置及び第二無線通信装置との間で無線通信を行う無線通信部と、無線通信部を介して、第一無線通信装置及び第二無線通信装置との間で無線信号を中継する中継部と、を備えた中継装置に関して、第一無線通信装置と無線通信部との間の通信状態と、第二無線通信装置と無線通信部との間の通信状態と、を測定し、測定結果に基づいて、第一無線通信装置の通信状態の程度と第二無線通信装置の通信状態の程度とをそれぞれ出力する。【選択図】図２
2013138277.tif 000002
【特許請求の範囲】
【請求項１】
第一無線通信装置及び第二無線通信装置との間で無線通信を行う無線通信部と、
前記無線通信部を介して、第一無線通信装置及び第二無線通信装置との間で無線信号を中継する中継部と、
前記第一無線通信装置と前記無線通信部との間の通信状態と、前記第二無線通信装置と前記無線通信部との間の通信状態と、を測定する測定部と、
前記測定部の測定結果に基づいて、装置毎に通信状態の程度を表す出力を行う出力部と、
を備える中継装置。
【請求項２】
第一無線通信装置及び第二無線通信装置との間で無線通信を行う無線通信部と、
前記無線通信部を介して、第一無線通信装置及び第二無線通信装置との間で無線信号を中継する中継部と、
前記第一無線通信装置と前記無線通信部との間の通信状態と、前記第二無線通信装置と前記無線通信部との間の通信状態と、を測定する測定部と、
前記測定部の測定結果に基づいて、装置毎に通信状態の程度を表す出力を行う出力部と、
を備える出力システム。
【請求項３】
第一無線通信装置及び第二無線通信装置との間で無線通信を行う無線通信部と、前記無線通信部を介して、第一無線通信装置及び第二無線通信装置との間で無線信号を中継する中継部と、を備えた中継装置に関して、前記第一無線通信装置と前記無線通信部との間の通信状態と、前記第二無線通信装置と前記無線通信部との間の通信状態と、を測定する測定ステップと、
測定結果に基づいて、前記第一無線通信装置の通信状態の程度と前記第二無線通信装置の通信状態の程度とをそれぞれ出力する出力ステップと、
を有する出力方法。
【請求項４】
第一無線通信装置及び第二無線通信装置との間で無線通信を行う無線通信部と、前記無線通信部を介して、第一無線通信装置及び第二無線通信装置との間で無線信号を中継する中継部と、を備えた中継装置に関して、前記第一無線通信装置と前記無線通信部との間の通信状態と、前記第二無線通信装置と前記無線通信部との間の通信状態と、を測定する測定ステップと、
測定結果に基づいて、前記第一無線通信装置の通信状態の程度と前記第二無線通信装置の通信状態の程度とをそれぞれ出力する出力ステップと、
をコンピュータに実行させるためのコンピュータプログラム。
【発明の詳細な説明】
【技術分野】
【０００１】
本発明は、無線信号の中継を行う中継装置の設置位置の決定を容易にする技術に関する。
【背景技術】
【０００２】
無線通信の信号（無線信号）を中継する装置（リピータ）を含むシステムを構築する際には、種々の作業が必要となる。例えば、リピータが中継する無線信号の送信元の装置とリピータとの間で、無線通信を行うための設定を行う必要がある。また、リピータが中継する無線信号の送信先の装置とリピータとの間でも、無線通信を行うための設定を行う必要がある。さらに、リピータの設置位置を決定する必要がある。これらの作業は複雑であり、誤った作業を行うと無線通信を行う事ができないおそれもある。
【０００３】
設定を容易にする技術の一つとして、ＷＰＳ（Wi-Fi Protected Setup）がある（例えば特許文献１参照）。ＷＰＳは、無線ＬＡＮ（Local Area Network）の接続設定やセキュリティ設定を簡単に行うための技術である。
【先行技術文献】
【特許文献】
【０００４】
【特許文献１】特開２０１１−１３９１９９号公報
【発明の概要】
【発明が解決しようとする課題】
【０００５】
しかしながら、リピータの設置位置を正しく決めることが難しいという問題があった。リピータの設置位置を誤ると、リピータが無線信号を正しく中継できないおそれがある。具体的には、リピータが無線信号の送信元装置から無線信号を正しく受信できない場合や、リピータによって中継された無線信号が送信先装置によって正しく受信されない場合などがある。
【０００６】
上記事情に鑑み、本発明は、リピータ等の中継装置の正しい設置位置を容易に決めることが可能となる技術を提供することを目的としている。
【課題を解決するための手段】
【０００７】
本発明の一態様は、第一無線通信装置及び第二無線通信装置との間で無線通信を行う無線通信部と、前記無線通信部を介して、第一無線通信装置及び第二無線通信装置との間で無線信号を中継する中継部と、前記第一無線通信装置と前記無線通信部との間の通信状態と、前記第二無線通信装置と前記無線通信部との間の通信状態と、を測定する測定部と、前記測定部の測定結果に基づいて、装置毎に通信状態の程度を表す出力を行う出力部と、を備える中継装置である。
【０００８】
本発明の一態様は、第一無線通信装置及び第二無線通信装置との間で無線通信を行う無線通信部と、前記無線通信部を介して、第一無線通信装置及び第二無線通信装置との間で無線信号を中継する中継部と、前記第一無線通信装置と前記無線通信部との間の通信状態と、前記第二無線通信装置と前記無線通信部との間の通信状態と、を測定する測定部と、前記測定部の測定結果に基づいて、装置毎に通信状態の程度を表す出力を行う出力部と、を備える出力システムである。
【０００９】
本発明の一態様は、第一無線通信装置及び第二無線通信装置との間で無線通信を行う無線通信部と、前記無線通信部を介して、第一無線通信装置及び第二無線通信装置との間で無線信号を中継する中継部と、を備えた中継装置に関して、前記第一無線通信装置と前記無線通信部との間の通信状態と、前記第二無線通信装置と前記無線通信部との間の通信状態と、を測定する測定ステップと、測定結果に基づいて、前記第一無線通信装置の通信状態の程度と前記第二無線通信装置の通信状態の程度とをそれぞれ出力する出力ステップと、を有する出力方法である。
【００１０】
本発明の一態様は、第一無線通信装置及び第二無線通信装置との間で無線通信を行う無線通信部と、前記無線通信部を介して、第一無線通信装置及び第二無線通信装置との間で無線信号を中継する中継部と、を備えた中継装置に関して、前記第一無線通信装置と前記無線通信部との間の通信状態と、前記第二無線通信装置と前記無線通信部との間の通信状態と、を測定する測定ステップと、測定結果に基づいて、前記第一無線通信装置の通信状態の程度と前記第二無線通信装置の通信状態の程度とをそれぞれ出力する出力ステップと、をコンピュータに実行させるためのコンピュータプログラムである。
【発明の効果】
【００１１】
本発明により、リピータ等の中継装置の正しい設置位置を容易に決めることが可能となる。
【図面の簡単な説明】
【００１２】
【図１】無線通信システム１のシステム構成を表すシステム構成図である。
【図２】本発明の第一実施形態であるリピータ３０の機能構成を表す概略ブロック図である。
【図３】第一実施形態における設定テーブルの具体例を示す図である。
【図４】第一実施形態における出力部の構成の具体例を示す図である。
【図５】第一実施形態における出力態様テーブルの具体例を示す図である。
【図６】リピータの動作例を示すフローチャートである。
【図７】出力部の構成の他の具体例を示す図である。
【図８】出力部が図７のように構成された場合の出力態様テーブルの具体例を示す図である。
【図９】第二実施形態における設定テーブルの具体例を示す図である。
【図１０】第二実施形態における出力部の構成の具体例を示す図である。
【図１１】第二実施形態における設定テーブルの変形例を示す図である。
【図１２】本発明の第三実施形態であるリピータの機能構成を表す概略ブロック図である。
【図１３】第三実施形態における出力態様テーブルの具体例を示す図である。
【図１４】第四実施形態における出力システムのシステム構成を表すシステム構成図である。
【図１５】第四実施形態における出力装置の構成の具体例を示す図である。
【図１６】第五実施形態における出力システムのシステム構成を表すシステム構成図である。
【発明を実施するための形態】
【００１３】
［システム概要］
図１は、無線通信システム１のシステム構成を表すシステム構成図である。無線通信システム１は、アクセスポイント１０、端末装置２０、リピータ３０を備える。アクセスポイント１０は、ネットワークＮに接続される。
【００１４】
アクセスポイント１０は、ネットワークＮから受信した端末装置２０宛てのデータを無線信号に変換し、無線信号を送信する。また、アクセスポイント１０は、ネットワークＮ側に設置された装置宛ての無線信号を受信すると、無線信号をネットワークＮの形態に応じたデータに変換し、ネットワークＮへ送信する。
【００１５】
端末装置２０は、無線通信可能な情報処理装置である。端末装置２０は、例えばパーソナルコンピュータ、携帯電話機、スマートフォン、ゲーム機、テレビ受像機、家電機器などの装置である。端末装置２０は、リピータ３０を介してアクセスポイント１０から無線信号を受信する。また、端末装置２０は、ネットワークＮ側に設置された装置宛てのデータを生成すると、データを無線信号に変換し、無線信号を送信する。
【００１６】
リピータ３０は、アクセスポイント１０から送信された無線信号を端末装置２０へ中継する。また、リピータ３０は、端末装置２０から送信された無線信号をアクセスポイント１０へ中継する。
【００１７】
［第一実施形態］
図２は、本発明の第一実施形態であるリピータ３０の機能構成を表す概略ブロック図である。リピータ３０は、バスで接続されたＣＰＵ（Central Processing Unit）やメモリや補助記憶装置などを備える。リピータ３０は、プログラムを実行することによって、無線通信部３０１、設定情報記憶部３０２、中継部３０３、送信元判定部３０４、受信強度値測定部３０５、出力制御部３０６、出力部３２０を備える装置として機能する。なお、リピータ３０の各機能の全て又は一部は、ＡＳＩＣ（Application Specific Integrated Circuit）やＰＬＤ（Programmable Logic Device）やＦＰＧＡ（Field Programmable Gate Array）等のハードウェアを用いて実現されても良い。リピータ３０が実行するプログラムは、コンピュータ読み取り可能な記録媒体に記録されても良い。コンピュータ読み取り可能な記録媒体とは、例えばフレキシブルディスク、光磁気ディスク、ＲＯＭ、ＣＤ−ＲＯＭ等の可搬媒体、コンピュータシステムに内蔵されるハードディスク等の記憶装置である。プログラムは、電気通信回線を介して送信されても良い。
【００１８】
無線通信部３０１は、アクセスポイント１０又は端末装置２０から送信された無線信号を受信する。無線通信部３０１は、受信した無線信号（以下、「受信信号」という。）を、中継部３０３、送信元判定部３０４、受信強度値測定部３０５へ出力する。また、無線通信部３０１は、中継部３０３から受けた無線信号を送信する。
【００１９】
設定情報記憶部３０２は、磁気ハードディスク装置や半導体記憶装置などの記憶装置を用いて構成される。設定情報記憶部３０２は、設定テーブルを記憶する。図３は、第一実施形態における設定テーブルの具体例を示す図である。第一実施形態における設定テーブルは、端末識別情報と装置種別とを対応付けたレコード３１を端末識別情報毎に二つ有する。端末識別情報は、端末装置２０を識別することが可能な情報である。端末識別情報は、例えばＭＡＣアドレス（Media Access Control address）、ホスト名、ＩＰアドレス（Internet Protocol address）である。装置種別は、端末識別情報によって示される装置が、アクセスポイント１０（ＡＰ）であるか、端末装置２０（ＳＴＡ）であるかを示す情報である。設定テーブルの内容は、事前に設定処理などが行われることによって予め設定情報記憶部３０２に登録されている。
【００２０】
中継部３０３は、受信信号に対して中継処理を行う。中継部３０３が行う中継処理は、既存のリピータ等の中継装置が行う処理と同様である。
送信元判定部３０４は、受信信号の送信元を示す端末識別情報を取得する。送信元判定部３０４は、設定テーブルを参照し、送信元の端末識別情報に対応する装置種別を取得する。送信元判定部３０４は、取得した装置種別を出力制御部３０６に出力する。
【００２１】
送信元判定部３０４が受信信号の送信元を示す端末識別情報を取得する際に行う処理には、どのような処理が適用されても良い。例えば送信元判定部３０４は、受信信号に対し復調処理及び復号化処理を行うことによってビット列を復元し、ヘッダ情報に含まれる送信元アドレス（ＭＡＣアドレス、ＩＰアドレス等）を取得しても良い。
【００２２】
受信強度値測定部３０５は、受信信号の強度を示す値（以下、「受信強度値」という。）ＲＳを測定する。受信強度値測定部３０５は、例えばＲＳＳＩ（Received Signal Strength Indication）によって受信強度値ＲＳを測定しても良い。受信強度値測定部３０５は、測定結果を出力制御部３０６に出力する。
【００２３】
出力制御部３０６は、送信元判定部３０４の判定結果である装置種別と、受信強度値測定部３０５の測定結果である受信強度値ＲＳと、に基づいて、出力部３２０の出力態様を制御する。
出力部３２０は、出力制御部３０６の制御に応じて、装置種別毎に通信状態の程度を表す出力を行う。第一実施形態における出力部３２０は、通信状態の具体例として受信強度値の程度を表す出力を行う。
【００２４】
以下、出力制御部３０６及び出力部３２０の構成の具体例について説明する。図４は、第一実施形態における出力部３２０の構成の具体例を示す図である。第一実施形態における出力部３２０は、アクセスポイント１０から送信された無線信号の受信強度値ＲＳの程度を表す第一表示部３２１と、端末装置２０から送信された無線信号の受信強度値ＲＳの程度を表す第二表示部３２２と、を備える。出力制御部３０６は、第一表示部３２１の出力態様と、第二表示部３２２の出力態様とをそれぞれ制御する。
【００２５】
例えば、出力制御部３０６は以下のように動作する。出力制御部３０６は、予め出力態様テーブルを記憶している。図５は、第一実施形態における出力態様テーブルの具体例を示す図である。出力態様テーブルは、受信強度値ＲＳの数値範囲と出力態様とを対応付けたレコード３２を複数記憶している。出力態様は、出力部３２０における出力の態様を示す。
【００２６】
図５の例に基づいて出力制御部３０６が第一表示部３２１の出力態様を制御する際の処理について説明する。アクセスポイント１０から送信された無線信号の受信強度値ＲＳが０以上ｎ１未満である場合には、出力制御部３０６は、出力部３２０の第一表示部３２１に対し赤色の光を点灯させる。アクセスポイント１０から送信された無線信号の受信強度値ＲＳがｎ１以上ｎ２未満である場合には、出力制御部３０６は、出力部３２０の第一表示部３２１に対し黄色の光を点滅させる。アクセスポイント１０から送信された無線信号の受信強度値ＲＳがｎ２以上ｎ３未満である場合には、出力制御部３０６は、出力部３２０の第一表示部３２１に対し黄色の光を点灯させる。アクセスポイント１０から送信された無線信号の受信強度値ＲＳがｎ３以上である場合には、出力制御部３０６は、出力部３２０の第一表示部３２１に対し緑色の光を点灯させる。
出力制御部３０６は、第二表示部３２２については、端末装置２０から送信された無線信号の受信強度値ＲＳに基づいて、第一表示部３２１と同様に制御する。
【００２７】
図６は、リピータ３０の動作例を示すフローチャートである。無線通信部３０１が無線信号を受信すると（ステップＳ１０１−ＹＥＳ）、送信元判定部３０４が受信信号の送信元の装置種別を判定する（ステップＳ１０２）。また、受信強度値測定部３０５が、受信信号の受信強度値ＲＳを測定する（ステップＳ１０３）。次に、出力制御部３０６が、出力強度値ＲＳに応じた出力態様を判定する（ステップＳ１０４）。そして、出力制御部３０６が、ステップＳ１０２で判定した装置種別と、ステップＳ１０４で判定した出力態様と、に基づいて出力部３２０の出力態様を制御する（ステップＳ１０５）。
【００２８】
このように構成された第一実施形態におけるリピータ３０を用いることによって、ユーザは、アクセスポイント１０から送信された無線信号の受信状況と、端末装置２０から送信された無線信号の受信状況と、をそれぞれ容易に判断できる。そのため、ユーザは、リピータ３０の正しい設置位置を容易に決めることが可能となる。リピータ３０の正しい設置位置とは、アクセスポイント１０から送信された無線信号と、端末装置２０から送信された無線信号との両方を良い状態で受信可能となる位置である。
【００２９】
また、リピータ３０では、受信強度値ＲＳの程度に応じて、複数段階で出力態様が変化する。そのため、ユーザは、各装置種別の出力態様を確認しながらリピータ３０の位置を移動させることによって、リピータ３０の正しい設置位置をより容易に判断することが可能となる。
【００３０】
＜変形例＞
出力制御部３０６は、装置種別毎に異なる出力態様テーブルを記憶していても良いし、アクセスポイント１０及び端末装置２０に共通した一つの出力態様テーブルを記憶していても良い。
【００３１】
図５に示される出力態様は一具体例であり、他の態様であっても良い。例えば、各レコード３２における出力態様の発光色は同一であり、発光の態様（例えば、点灯、０．２秒間隔での点滅、１秒間隔での点滅、３秒間隔での点滅、など）が異なる様に出力態様テーブルが構成されても良い。例えば、各レコード３２における出力態様の発光色が全て異なり、発光の態様は同一となる様に出力態様テーブルが構成されても良い。
出力態様は、表示に限定される必要は無い。例えば、出力態様として音の出力（例えば、複数種類の音声）を定義した出力態様テーブルが設定されても良い。この場合には、出力部３２０はスピーカー等の音声出力装置を用いて構成される。
【００３２】
出力部３２０の構成は、図４に示された具体例に限定される必要は無い。図７は、出力部３２０の構成の他の具体例を示す図である。第一表示部３２１及び第二表示部３２２は、それぞれ複数本の発光部を備える。図８は、出力部３２０が図７のように構成された場合の出力態様テーブルの具体例を示す図である。
【００３３】
図７及び図８の例に基づいて出力制御部３０６が第一表示部３２１の出力態様を制御する際の処理について説明する。アクセスポイント１０から送信された無線信号の受信強度値ＲＳが０以上ｎ１未満である場合には、出力制御部３０６は、出力部３２０の第一表示部３２１に対し、表示部を一つも点灯しないように制御する。アクセスポイント１０から送信された無線信号の受信強度値ＲＳがｎ１以上ｎ２未満である場合には、出力制御部３０６は、出力部３２０の第一表示部３２１に対し、左端の発光部のみ（１本の発光部）を点灯させる。アクセスポイント１０から送信された無線信号の受信強度値ＲＳがｎ２以上ｎ３未満である場合には、出力制御部３０６は、出力部３２０の第一表示部３２１に対し、左端及び中央の発光部（２本の発光部）を点灯させる。アクセスポイント１０から送信された無線信号の受信強度値ＲＳがｎ３以上である場合には、出力制御部３０６は、出力部３２０の第一表示部３２１に対し、全ての発光部（３本の発光部）を点灯させる。
出力制御部３０６は、第二表示部３２２については、端末装置２０から送信された無線信号の受信強度値ＲＳに基づいて、第一表示部３２１と同様に制御する。
【００３４】
［第二実施形態］
第一実施形態のリピータ３０は、１台の端末装置２０を処理の対象としている。これに対し、第二実施形態のリピータ３０は、複数台の端末装置２０を処理の対象とする。以下、このように構成された第二実施形態におけるリピータ３０について説明する。なお、第二実施形態における装置構成の概略は第一実施形態と同様であり図２に示される通りであるため、説明を省略する。
【００３５】
図９は、第二実施形態における設定テーブルの具体例を示す図である。第二実施形態における設定テーブルは、端末識別情報と装置種別とを対応付けたレコード３１を端末識別情報毎に３以上有する。端末識別情報は、端末装置２０を識別することが可能な情報である。端末識別情報は、例えばＭＡＣアドレス、ホスト名、ＩＰアドレスである。装置種別は、端末識別情報によって示される装置が、アクセスポイント１０（ＡＰ）であるか、端末装置２０（ＳＴＡ）であるかを示す情報である。第二実施形態における装置種別は、さらに複数の端末装置２０（ＳＴＡ１〜ＳＴＡｎ（ｎは２以上の整数））のうちどの端末装置２０に相当する装置であるかを示す。図９の場合、ｎ＝３である。設定テーブルの内容は、事前に設定処理などが行われることによって予め設定情報記憶部３０２に登録されている。
【００３６】
図１０は、第二実施形態における出力部３２０の構成の具体例を示す図である。第二実施形態における出力部３２０は、アクセスポイント１０から送信された無線信号の受信強度値ＲＳの程度を表す第一表示部３２１と、端末装置２０から送信された無線信号の受信強度値ＲＳの程度を表す複数の第二表示部３２２（３２２−１〜３２２−３）と、を備える。出力制御部３０６は、第一表示部３２１の出力態様と、各第二表示部３２２の出力態様とをそれぞれ制御する。
【００３７】
出力制御部３０６は、第二表示部３２２−１については、装置種別ＳＴＡ１に対応する端末装置２０から送信された無線信号の受信強度値ＲＳに基づいて制御する。出力制御部３０６は、第二表示部３２２−２については、装置種別ＳＴＡ２に対応する端末装置２０から送信された無線信号の受信強度値ＲＳに基づいて制御する。出力制御部３０６は、第二表示部３２２−３については、装置種別ＳＴＡ３に対応する端末装置２０から送信された無線信号の受信強度値ＲＳに基づいて制御する。
【００３８】
このように構成された第二実施形態のリピータ３０では、複数台の端末装置２０が設置される環境においても、リピータ３０の正しい設置位置を容易に判断することが可能となる。この場合のリピータ３０の正しい設置位置とは、アクセスポイント１０から送信された無線信号と、複数の端末装置２０から送信された複数の無線信号の全て又は一部と、を良い状態で受信可能となる位置である。
【００３９】
＜変形例＞
図１１は、第二実施形態における設定テーブルの変形例を示す図である。図１１に示す設定テーブルには、４台以上の端末装置２０に関するレコード３１が登録されている。このように、図１０に示す第二表示部３２２の数（以下、「表示可能数」という。）よりも多くのレコード３１が設定テーブルに登録されても良い。この場合、出力制御部３０６は以下のように動作しても良い。
【００４０】
出力制御部３０６は、直近の受信強度値ＲＳが大きい方から順に表示可能数分の装置種別を選択する。そして、出力制御部３０６は、最も大きい受信強度値ＲＳに基づいて、第二表示部３２２−１を制御する。また、出力制御部３０６は、２番目に大きい受信強度値ＲＳ、３番目に大きい受信強度値ＲＳに基づいて、それぞれ第二表示部３２２−２、３２２−３を制御する。このように構成されたリピータ３０では、表示可能数以上の台数の端末装置２０が設置された環境においても、可能な限り多くの端末装置２０に対してリピータ３０の正しい設置位置を容易に判断することが可能となる。
第二実施形態におけるリピータ３０は、第一実施形態の変形例と同様に変形して構成されても良い。
【００４１】
［第三実施形態］
第一実施形態のリピータ３０は、通信状態の具体例として受信強度値を測定し出力態様を変化させる。これに対し、第三実施形態のリピータ３０ａは、通信状態の具体例として各装置との間の無線通信の通信速度を測定し出力態様を変化させる。以下、このように構成された第三実施形態におけるリピータ３０ａについて説明する。
【００４２】
図１２は、本発明の第三実施形態であるリピータ３０ａの機能構成を表す概略ブロック図である。リピータ３０ａは、バスで接続されたＣＰＵやメモリや補助記憶装置などを備える。リピータ３０ａは、プログラムを実行することによって、無線通信部３０１、設定情報記憶部３０２、中継部３０３、通信速度測定部３１１、出力制御部３０６ａ、出力部３２０を備える装置として機能する。なお、リピータ３０ａの各機能の全て又は一部は、ＡＳＩＣやＰＬＤやＦＰＧＡ等のハードウェアを用いて実現されても良い。リピータ３０ａが実行するプログラムは、コンピュータ読み取り可能な記録媒体に記録されても良い。
【００４３】
リピータ３０ａが備える構成のうち、無線通信部３０１、設定情報記憶部３０２、中継部３０３は、第一実施形態におけるリピータ３０が備える同名の構成と同じである。
【００４４】
通信速度測定部３１１は、各装置（アクセスポイント１０、端末装置２０）との間の無線通信における通信速度Ｖを測定する。通信速度測定部３１１が通信速度Ｖを測定する方法には、既存のどのような方法が用いられても良い。通信速度測定部３１１は、装置種別と、その装置との間の通信速度Ｖとを出力制御部３０６ａに出力する。
【００４５】
出力制御部３０６ａは、通信速度測定部３１１の測定結果である装置種別毎の通信速度Ｖに基づいて、出力部３２０の出力態様を制御する。
出力部３２０は、出力制御部３０６ａの制御に応じて、装置種別毎に通信速度の程度を表す出力を行う。
【００４６】
以下、出力制御部３０６ａ及び出力部３２０の構成の具体例について説明する。第三実施形態における出力部３２０の外観は第一実施形態における同部の外観と同じであるため図示を省略する。第三実施形態における出力部３２０は、アクセスポイント１０から送信された無線信号の通信速度Ｖの程度を表す第一表示部３２１と、端末装置２０から送信された無線信号の通信速度Ｖの程度を表す第二表示部３２２と、を備える。出力制御部３０６ａは、第一表示部３２１の出力態様と、第二表示部３２２の出力態様とをそれぞれ制御する。
【００４７】
例えば、出力制御部３０６ａは以下のように動作する。出力制御部３０６ａは、予め出力態様テーブルを記憶している。図１３は、第三実施形態における出力態様テーブルの具体例を示す図である。出力態様テーブルは、通信速度Ｖの数値範囲と出力態様とを対応付けたレコード３３を複数記憶している。出力態様は、出力部３２０における出力の態様を示す。
【００４８】
図１３の例に基づいて出力制御部３０６ａが第一表示部３２１の出力態様を制御する際の処理について説明する。アクセスポイント１０との間の通信速度Ｖが０以上ｖ１未満である場合には、出力制御部３０６ａは、出力部３２０の第一表示部３２１に対し赤色の光を点灯させる。アクセスポイント１０との間の通信速度Ｖがｖ１以上ｖ２未満である場合には、出力制御部３０６ａは、出力部３２０の第一表示部３２１に対し黄色の光を点滅させる。アクセスポイント１０との間の通信速度Ｖがｖ２以上ｖ３未満である場合には、出力制御部３０６ａは、出力部３２０の第一表示部３２１に対し黄色の光を点灯させる。アクセスポイント１０との間の通信速度Ｖがｖ３以上である場合には、出力制御部３０６ａは、出力部３２０の第一表示部３２１に対し緑色の光を点灯させる。
出力制御部３０６ａは、第二表示部３２２については、端末装置２０との間の通信速度Ｖに基づいて、第一表示部３２１と同様に制御する。
【００４９】
このように構成された第三実施形態におけるリピータ３０ａを用いることによって、ユーザは、アクセスポイント１０とリピータ３０ａとの間の通信速度と、端末装置２０とリピータ３０ａとの間の通信速度と、をそれぞれ容易に判断できる。そのため、ユーザは、リピータ３０ａの正しい設置位置を容易に決めることが可能となる。リピータ３０ａの正しい設置位置とは、アクセスポイント１０及び端末装置２０とリピータ３０ａとが高い速度で無線通信を行うことが可能となる位置である。
【００５０】
また、リピータ３０ａでは、通信速度Ｖの程度に応じて、複数段階で出力態様が変化する。そのため、ユーザは、各装置種別の出力態様を確認しながらリピータ３０ａの位置を移動させることによって、リピータ３０ａの正しい設置位置をより容易に判断することが可能となる。
【００５１】
＜変形例＞
第三実施形態におけるリピータ３０ａは、第一実施形態の変形例と同様に変形して構成されても良い。
第三実施形態におけるリピータ３０ａは、第二実施形態のように、複数台の端末装置２０を処理の対象とするように構成されても良い。
【００５２】
［第四実施形態］
第一実施形態のリピータ３０では、出力制御部３０６は自装置の出力部３２０の出力態様を制御する。これに対し、第四実施形態のリピータ３０ｂの出力制御部３０６ｂは、自装置の外部に設けられた出力装置４０ｂの出力態様を制御する。以下、このように構成された第四実施形態におけるリピータ３０ｂ及び出力装置４０ｂを備える出力システム２ｂについて説明する。
【００５３】
図１４は、第四実施形態における出力システム２ｂのシステム構成を表すシステム構成図である。出力システム２ｂは、図１におけるリピータ３０に代えて無線通信システム１に備えられる。出力システム２ｂは、リピータ３０ｂ及び出力装置４０ｂを備える。
リピータ３０ｂは、バスで接続されたＣＰＵやメモリや補助記憶装置などを備える。リピータ３０ｂは、プログラムを実行することによって、無線通信部３０１、設定情報記憶部３０２、中継部３０３、送信元判定部３０４、受信強度値測定部３０５、出力制御部３０６ｂを備える装置として機能する。なお、リピータ３０ｂの各機能の全て又は一部は、ＡＳＩＣやＰＬＤやＦＰＧＡ等のハードウェアを用いて実現されても良い。リピータ３０ｂが実行するプログラムは、コンピュータ読み取り可能な記録媒体に記録されても良い。
【００５４】
リピータ３０ｂが備える構成のうち、無線通信部３０１、設定情報記憶部３０２、中継部３０３、送信元判定部３０４、受信強度値測定部３０５は、第一実施形態におけるリピータ３０が備える同名の構成と同じである。
【００５５】
出力制御部３０６ｂは、送信元判定部３０４の判定結果である装置種別と、受信強度値測定部３０５の測定結果である受信強度値ＲＳと、に基づいて、出力装置４０ｂの出力態様を制御する。出力制御部３０６ｂは、制御信号を出力装置４０ｂに送信することによって、出力装置４０ｂの出力態様を制御する。出力制御部３０６ｂが出力装置４０ｂに対して制御信号を送信する際の通信経路は、どのように形成されても良い。例えば、ＵＳＢ等の有線の通信経路を介して制御信号が送信されても良い。また、Ｂｌｕｅｔｏｏｔｈ（登録商標）や無線ＬＡＮ等の無線の通信経路を介して制御信号が送信されても良い。
【００５６】
出力装置４０ｂは、出力制御部３０６ｂから送信される制御信号を受信する。出力装置４０ｂは、受信した制御信号の内容に応じて、装置種別毎に受信強度値の程度を表す出力を行う。出力装置４０ｂは、上記処理を実行可能であればどのように構成されても良い。例えば、出力装置４０ｂは、パーソナルコンピュータ、携帯電話機、スマートフォン、ゲーム機、テレビ受像機などの装置を用いて構成されても良い。
【００５７】
出力制御部３０６ｂ及び出力装置４０ｂの構成の具体例について説明する。図１５は、第四実施形態における出力装置４０ｂの構成の具体例を示す図である。第四実施形態における出力装置４０ｂは、画像出力部４２０を備える。画像出力部４２０は、ＣＲＴ（Cathode Ray Tube）、液晶ディスプレイ装置、有機ＥＬ（Electro Luminescence）ディスプレイ装置等を用いて構成される。
【００５８】
画像出力部４２０には、アクセスポイント１０から送信された無線信号の受信強度値ＲＳの程度を表す第一表示領域４２１と、端末装置２０から送信された無線信号の受信強度値ＲＳの程度を表す第二表示領域４２２と、が形成される。出力制御部３０６ｂは、第一表示領域４２１の出力態様と、第二表示領域４２２の出力態様とをそれぞれ制御する。
【００５９】
例えば、出力制御部３０６ｂは以下のように動作する。出力制御部３０６ｂは、予め出力態様テーブルを記憶している。出力制御部３０６ｂが記憶している出力態様テーブルは、例えば図５に示される出力態様テーブルである。
【００６０】
図５の例に基づいて出力制御部３０６ｂが第一表示領域４２１の出力態様を制御する際の処理について説明する。
アクセスポイント１０から送信された無線信号の受信強度値ＲＳが０以上ｎ１未満である場合には、出力制御部３０６ｂは、出力装置４０ｂに対し、第一表示領域４２１を赤色に点灯させることを示す制御信号を送信する。出力装置４０ｂは、制御信号を受信すると、制御信号にしたがって第一表示領域４２１を赤色に点灯させる。
【００６１】
アクセスポイント１０から送信された無線信号の受信強度値ＲＳがｎ１以上ｎ２未満である場合には、出力制御部３０６ｂは、出力装置４０ｂに対し、第一表示領域４２１を黄色に点滅させることを示す制御信号を送信する。出力装置４０ｂは、制御信号を受信すると、制御信号にしたがって第一表示領域４２１を黄色で点滅させる。
【００６２】
アクセスポイント１０から送信された無線信号の受信強度値ＲＳがｎ２以上ｎ３未満である場合には、出力制御部３０６ｂは、出力装置４０ｂに対し、第一表示領域４２１を黄色に点灯させることを示す制御信号を送信する。出力装置４０ｂは、制御信号を受信すると、制御信号にしたがって第一表示領域４２１を黄色に点灯させる。
【００６３】
アクセスポイント１０から送信された無線信号の受信強度値ＲＳがｎ３以上である場合には、出力制御部３０６ｂは、出力装置４０ｂに対し、第一表示領域４２１を緑色に点灯させることを示す制御信号を送信する。出力装置４０ｂは、制御信号を受信すると、制御信号にしたがって第一表示領域４２１を緑色に点灯させる。
【００６４】
このように構成されたリピータ３０ｂ及び出力装置４０ｂを用いることによって、ユーザは、アクセスポイント１０から送信された無線信号の受信状況と、端末装置２０から送信された無線信号の受信状況と、をそれぞれ容易に判断できる。そのため、ユーザは、リピータ３０ｂの正しい設置位置を容易に決めることが可能となる。リピータ３０ｂの正しい設置位置とは、アクセスポイント１０から送信された無線信号と、端末装置２０から送信された無線信号との両方を良い状態で受信可能となる位置である。
【００６５】
また、リピータ３０ｂでは、受信強度値ＲＳの程度に応じて、複数段階で出力態様が変化する。そのため、ユーザは、各装置種別の出力態様を確認しながらリピータ３０ｂの位置を移動させることによって、リピータ３０ｂの正しい設置位置をより容易に判断することが可能となる。
また、リピータ３０ｂは、第一実施形態における出力部３２０に相当する構成を備える必要が無い。そのため、リピータ３０ｂの構成の小型化や簡素化が容易となる。
また、第四実施形態では、出力を行う出力装置４０ｂはリピータ３０ｂとは別の装置として構成される。そのため、例えばリピータ３０ｂの設置位置が目の届きにくい場所である場合であっても、出力装置４０ｂを見ることによって容易にリピータ３０ｂの正しい設置位置を判断することが可能となる。
【００６６】
＜変形例＞
第四実施形態における出力システム２ｂは、第一実施形態の変形例と同様に変形して構成されても良い。
第四実施形態における出力システム２ｂは、第二実施形態のように、複数台の端末装置２０を処理の対象とするように構成されても良い。
第四実施形態における出力システム２ｂは、第三実施形態のように、通信速度を測定して出力態様を制御するように構成されても良い。
第四実施形態における出力制御部３０６ｂは、第一表示領域４２１及び第二表示領域４２２において、受信強度値ＲＳや受信速度Ｖの値を数値として表示させても良い。
【００６７】
［第五実施形態］
第四実施形態の出力システム２ｂでは、出力制御部３０６ｂはリピータ３０ｂに備えられている。これに対し、第五実施形態の出力システム２ｃでは、出力制御部３０６ｃはリピータ３０ｂではなく、出力装置４０ｃに備えられる。以下、このように構成された第五実施形態におけるリピータ３０ｃ及び出力装置４０ｃを備える出力システム２ｃについて説明する。
【００６８】
図１６は、第五実施形態における出力システム２ｃのシステム構成を表すシステム構成図である。出力システム２ｃは、図１におけるリピータ３０に代えて無線通信システム１に備えられる。出力システム２ｃは、リピータ３０ｃ及び出力装置４０ｃを備える。
【００６９】
リピータ３０ｃは、バスで接続されたＣＰＵやメモリや補助記憶装置などを備える。リピータ３０ｃは、プログラムを実行することによって、無線通信部３０１、設定情報記憶部３０２、中継部３０３、送信元判定部３０４ｃ、受信強度値測定部３０５ｃを備える装置として機能する。なお、リピータ３０ｃの各機能の全て又は一部は、ＡＳＩＣやＰＬＤやＦＰＧＡ等のハードウェアを用いて実現されても良い。リピータ３０ｃが実行するプログラムは、コンピュータ読み取り可能な記録媒体に記録されても良い。
【００７０】
リピータ３０ｃが備える構成のうち、無線通信部３０１、設定情報記憶部３０２、中継部３０３は、第一実施形態におけるリピータ３０が備える同名の構成と同じである。
送信元判定部３０４ｃは、受信信号の送信元を示す端末識別情報を取得する。送信元判定部３０４は、設定テーブルを参照し、送信元の端末識別情報に対応する装置種別を取得する。送信元判定部３０４は、取得した装置種別を表す装置種別信号を出力装置４０ｃに送信する。送信元判定部３０４ｃが送信元を示す端末識別情報を取得する際の具体的な動作については、第一実施形態における送信元判定部３０４の動作と同じである。
【００７１】
受信強度値測定部３０５ｃは、受信強度値ＲＳを測定する。受信強度値測定部３０５ｃは、例えばＲＳＳＩ（Received Signal Strength Indication）によって受信強度値ＲＳを測定しても良い。受信強度値測定部３０５ｃは、測定結果を表す受信強度値信号を出力装置４０ｃに送信する。
送信元判定部３０４ｃ及び受信強度値測定部３０５ｃと出力装置４０ｃとの間の通信経路はどのように形成されても良い。例えば、ＵＳＢ等の有線の通信経路を介して装置種別信号及び受信強度値信号が送信されても良い。また、Ｂｌｕｅｔｏｏｔｈ（登録商標）や無線ＬＡＮ等の無線の通信経路を介して装置種別信号及び受信強度値信号が送信されても良い。
【００７２】
出力装置４０ｃは、バスで接続されたＣＰＵやメモリや補助記憶装置などを備える。出力装置４０ｃは、プログラムを実行することによって、出力制御部４０１及び出力部４０２を備える装置として機能する。なお、出力装置４０ｃの各機能の全て又は一部は、ＡＳＩＣやＰＬＤやＦＰＧＡ等のハードウェアを用いて実現されても良い。出力装置４０ｃが実行するプログラムは、コンピュータ読み取り可能な記録媒体に記録されても良い。出力装置４０ｃは、例えば、パーソナルコンピュータ、携帯電話機、スマートフォン、ゲーム機、テレビ受像機などの装置を用いて構成されても良い。
【００７３】
出力制御部４０１は、リピータ３０ｃから装置種別信号及び受信強度値信号を受信する。出力制御部４０１は、装置種別信号が表す装置種別と、受信強度値信号が表す受信強度値ＲＳと、に基づいて、出力部４０２の出力態様を制御する。
出力部４０２は、出力制御部４０１の制御に応じて、装置種別毎に受信強度値の程度を表す出力を行う。
【００７４】
出力制御部４０１及び出力部４０２の構成の具体例について説明する。出力部４０２は、例えば図１５に示される画像出力部４２０として構成される。出力部４０２は、アクセスポイント１０から送信された無線信号の受信強度値ＲＳの程度を表す第一表示領域４２１と、端末装置２０から送信された無線信号の受信強度値ＲＳの程度を表す第二表示領域４２２と、を画面上に表示する。出力制御部４０１は、第一表示領域４２１の出力態様と、第二表示領域４２２の出力態様とをそれぞれ制御する。
【００７５】
例えば、出力制御部４０１は以下のように動作する。出力制御部４０１は、予め出力態様テーブルを記憶している。出力制御部４０１が記憶している出力態様テーブルは、例えば図５に示される出力態様テーブルである。
図５の例に基づいて出力制御部４０１が第一表示領域４２１の出力態様を制御する際の処理について説明する。
【００７６】
アクセスポイント１０から送信された無線信号の受信強度値ＲＳが０以上ｎ１未満である場合には、出力制御部４０１は、出力部４０２の第一表示領域４２１に対し赤色の光を点灯させる。アクセスポイント１０から送信された無線信号の受信強度値ＲＳがｎ１以上ｎ２未満である場合には、出力制御部４０１は、出力部４０２の第一表示領域４２１に対し黄色の光を点滅させる。アクセスポイント１０から送信された無線信号の受信強度値ＲＳがｎ２以上ｎ３未満である場合には、出力制御部４０１は、出力部４０２の第一表示領域４２１に対し黄色の光を点灯させる。アクセスポイント１０から送信された無線信号の受信強度値ＲＳがｎ３以上である場合には、出力制御部４０１は、出力部４０２の第一表示領域４２１に対し緑色の光を点灯させる。
出力制御部４０１は、第二表示領域４２２については、端末装置２０から送信された無線信号の受信強度値ＲＳに基づいて、第一表示領域４２１と同様に制御する。
【００７７】
このように構成されたリピータ３０ｃ及び出力装置４０ｃを用いることによって、ユーザは、アクセスポイント１０から送信された無線信号の受信状況と、端末装置２０から送信された無線信号の受信状況と、をそれぞれ容易に判断できる。そのため、ユーザは、リピータ３０ｃの正しい設置位置を容易に決めることが可能となる。リピータ３０ｃの正しい設置位置とは、アクセスポイント１０から送信された無線信号と、端末装置２０から送信された無線信号との両方を良い状態で受信可能となる位置である。
【００７８】
また、リピータ３０ｃでは、受信強度値ＲＳの程度に応じて、複数段階で出力態様が変化する。そのため、ユーザは、各装置種別の出力態様を確認しながらリピータ３０ｃの位置を移動させることによって、リピータ３０ｃの正しい設置位置をより容易に判断することが可能となる。
【００７９】
また、リピータ３０ｃは、第一実施形態における出力制御部３０６及び出力部３２０に相当する構成を備える必要が無い。そのため、リピータ３０ｃの構成の小型化や簡素化が容易となる。
また、第五実施形態では、出力を行う出力装置４０ｃはリピータ３０ｃとは別の装置として構成される。そのため、例えばリピータ３０ｃの設置位置が目の届きにくい場所である場合であっても、出力装置４０ｃを見ることによって容易にリピータ３０ｃの正しい設置位置を判断することが可能となる。
【００８０】
＜変形例＞
第五実施形態における出力システム２ｃは、第一実施形態の変形例と同様に変形して構成されても良い。
第五実施形態における出力システム２ｃは、第二実施形態のように、複数台の端末装置２０を処理の対象とするように構成されても良い。
第五実施形態における出力システム２ｃは、第三実施形態のように、通信速度を測定して出力態様を制御するように構成されても良い。
第五実施形態における出力制御部３０６ｃは、第一表示領域４２１及び第二表示領域４２２において、受信強度値ＲＳや受信速度Ｖの値を数値として表示させても良い。
以上、この発明の実施形態について図面を参照して詳述してきたが、具体的な構成はこの実施形態に限られるものではなく、この発明の要旨を逸脱しない範囲の設計等も含まれる。
【符号の説明】
【００８１】
１…無線通信システム，  ２ｂ，２ｃ…出力システム，  Ｎ…ネットワーク，  １０…アクセスポイント（第一無線通信装置），  ２０…端末装置（第二無線通信装置），  ３０，３０ａ，３０ｂ，３０ｃ…リピータ（中継装置），  ４０ｂ，４０ｃ…出力装置，  ３０１…無線通信部，  ３０２…設定情報記憶部，  ３０３…中継部，  ３０４…送信元判定部，  ３０５…受信強度値測定部（測定部），  ３０６，３０６ａ，３０６ｃ，  ４０１…出力制御部，  ３２０，４０２…出力部，  ３１，３２，３３…レコード，  ３２１，４２１…第一表示部，  ３２２，４２２…第二表示部
【図１】
2013138277.tif 000003
【図２】
2013138277.tif 000004
【図３】
2013138277.tif 000005
【図４】
2013138277.tif 000006
【図５】
2013138277.tif 000007
【図６】
2013138277.tif 000008
【図７】
2013138277.tif 000009
【図８】
2013138277.tif 000010
【図９】
2013138277.tif 000011
【図１０】
2013138277.tif 000012
【図１１】
2013138277.tif 000013
【図１２】
2013138277.tif 000014
【図１３】
2013138277.tif 000015
【図１４】
2013138277.tif 000016
【図１５】
2013138277.tif 000017
【図１６】
2013138277.tif 000018